(57)【要約】【課題】  光ディスクへ照射するレーザ光線のレーザパワーを一定に保つことができる光ピックアップを提供する。【解決手段】  波長の異なる複数のレーザ光線を出射する第１及び第２のＬＤ５１、５２と、第１及び第２のＬＤ５１、５２から出射される複数のレーザ光線の光軸を合成する光軸合成プリズム５３と、この光軸合成プリズム５３により合成した光軸上のレーザ光線を光ディスク５６の方向へ反射するリーケージミラー５４と、光ディスク５６に照射されるレーザ光線の光量を検出するＬＤモニタ５６とを備えた光ピックアップにおいて、リーケージミラー５４の一部に反射膜１１を成膜していない未成膜領域１２を設け、この未成膜領域１２を透過したレーザ光線の光量をＬＤモニタ５５により検出するようにした。【選択図】      図１
2006338802.tif 000002
【特許請求の範囲】
【請求項１】
波長の異なる複数のレーザ光線を出射する複数のレーザ光源と、該複数のレーザ光源から出射される複数のレーザ光線の光軸を合成する光軸合成部と、該光軸合成部により合成した光軸上のレーザ光線を光ディスクの方向へ反射する反射板と、前記光ディスクに照射される前記レーザ光線の光量を検出する光量検出手段とを備えた光ピックアップにおいて、前記反射板の一部に反射膜を成膜していない未成膜領域を設け、前記未成膜領域を透過した前記レーザ光線の光量を前記光量検出手段により検出することを特徴とする光ピックアップ。
【発明の詳細な説明】
【技術分野】
【０００１】
本発明は、光ピックアップに関わり、特に波長の異なる複数種類のレーザ光線を出射することができる光ピックアップに好適なものである。
【背景技術】
【０００２】
また近年、光ディスク装置に用いられる光ピックアップは、複数種類の異なる光ディスクに対応するため、青色波長帯域のレーザ光線を含む複数種類のレーザ光線を出射することができるように構成されているものがある（例えば特許文献１）。
図２は、上記のような従来の光ピックアップの概略構成を示した図である。
この図２において、５１は例えば波長４０５ｎｍの青色波長帯域のレーザ光線を出射する第１のレーザダイオード（ＬＤ）、５２は例えばＤＶＤ（Digital Versatile Disc）に対応した波長６５０ｎｍのレーザ光線とＣＤ（Compact Disc）に対応した波長７８０ｎｍのレーザ光線を出射する第２のレーザダイオード（ＬＤ）、５３は第１及び第２のＬＤ５１、５２から出射される３波長のレーザ光線の光軸を合成する光軸合成プリズム、５４は光軸合成プリズム５３からのレーザ光線を反射して光ディスク５６へ導くと共に、光軸合成プリズム５３からのレーザ光線の一部を透過するリーケージミラー、５５はリーケージミラー５４を透過したレーザ光線を検出するＬＤモニタである。
このように構成される従来の光ピックアップでは、リーケージミラー５４を透過したレーザ光線の一部光量をＬＤモニタ５５により検出し、その検出結果を第１及び第２のＬＤ５１、５２の制御系にフィードバックすることにより、リーケージミラー５４において反射され、光ディスク５６へ照射されるレーザ光線のレーザパワーを一定に保つように制御している。
図３は従来の光ピックアップの他の概略構成を示した図である。なお、図２に示した光ピックアップと同一部位には同一符号を付して説明する。
この図３に示すように構成された光ピックアップでは、レーザ光源５１、５２から発散されるレーザ光線の一部光量を光軸合成プリズム５３の後段に配置したＬＤモニタ５５により検出し、その検出結果を第１及び第２のＬＤ５１、５２の制御系にフィードバックすることにより、光ディスク５６に照射されるレーザパワーが一定になるように制御している。
また図示は省略するが上記の構成の他にも例えば、プリズムにより位相差または偏波面を変えることにより、レーザ光線の一部光量がプリズムを透過または反射するように構成し、その透過又は反射した光量の一部をＬＤモニタにより検出することにより、光ディスクへ照射されるレーザパワーを一定に保つように制御しているものもある。
【特許文献１】特開２００３−７７１６３公報
【発明の開示】
【発明が解決しようとする課題】
【０００３】
しかしながら、上記図２に示した従来の光ピックアップでは、リーケージミラー５４において発生する波長依存性（ＬＤの温度依存性による波長シフト）により、光ディスクへ照射するレーザパワーを一定に保つことが困難であった。
またリーケージミラー５４の波長依存性の影響を小さくするために、波長依存性に優れたリーケージミラー５４を作製する場合、即ち波長依存性がほぼ一定のリーケージミラー５４を得ようとすると、リーケージミラー５４の歩留まりが著しく悪化するという欠点があった。
また光軸合成プリズム５３は、レーザ光線の波長によって周辺部の光量が安定しないため、図３に示した光ピックアップのようにＬＤモニタ５５により光軸合成プリズム５３の周辺部の光量を検出した場合には、レーザパワーを一定に保つことが困難であった。
そこで、本発明は上記したような点を鑑みてなされたものであり、光ディスクへ照射するレーザ光線のレーザパワーを一定に保つことができる光ピックアップを提供することを目的とする。
【課題を解決するための手段】
【０００４】
上記目的を達成するため、請求項１に記載の発明は、波長の異なる複数のレーザ光線を出射する複数のレーザ光源と、該複数のレーザ光源から出射される複数のレーザ光線の光軸を合成する光軸合成部と、該光軸合成部により合成した光軸上のレーザ光線を光ディスクの方向へ反射する反射板と、前記光ディスクに照射される前記レーザ光線の光量を検出する光量検出手段とを備えた光ピックアップにおいて、前記反射板の一部に反射膜を成膜していない未成膜領域を設け、前記未成膜領域を透過した前記レーザ光線の光量を前記光量検出手段により検出することを特徴とする。
【発明の効果】
【０００５】
本発明によれば、反射板の一部に反射膜を成膜していない未成膜領域を設け、この未成膜領域を透過したレーザ光線の光量を光量検出手段により検出することで、光量検出手段により検出される光量は反射板に形成された反射膜の波長依存性の影響を受けることなく一定になるので、光ディスクへ照射するレーザパワーを一定に保つことができる。
【発明を実施するための最良の形態】
【０００６】
以下、図面を参照して本発明における実施の形態を詳細に説明する。
図１は本発明の実施形態における光ピックアップの構成を示す概略図である。なお、図２に示した光ピックアップと同一部位には同一符号を付して説明は省略する。
この図１に示す本実施形態の光ピックアップ１においては、リーケージミラー１０の構造に特徴がある。即ち、図２、図３に示した従来のリーケージミラー５４は、その片側全面に反射膜１１がコーティングされているのに対して、本実施形態のリーケージミラー１０は、片側全面に反射膜１１をコーティングすることなく、その一部に反射膜１１を施していない未成膜領域１２を設けるようにした。そして、このリーケージミラー１０の未成膜領域１２を透過した光量を光量検出手段であるＬＤモニタ５５により検出できるように、ＬＤモニタ５５を配置するようにした。
このように構成すれば、ＬＤモニタ５５により検出される光量はリーケージミラー１０に形成された反射膜１１の波長依存性の影響を受けることなく一定になるので、光ディスクへ照射するレーザパワーを一定に保つことができる。
なお、本実施形態では、光軸合成部として、第１及び第２のＬＤ５１、５２から出射される３波長のレーザ光の光軸を合成するために光軸合成プリズム５３を例に挙げて説明したが、光軸合成プリズムの代わりにハーフミラーを用いることも可能である。
また本実施の形態においては、光軸合成プリズム５３により第１及び第２のＬＤ５１、５２から出射される３波長のレーザ光線の光軸を合成するようにしているが、これはあくまでも一例であり、３波長以上のレーザ光線を３つ以上のＬＤから出射するように構成しても良い。
【図面の簡単な説明】
【０００７】
【図１】本発明の実施形態における光ピックアップの構成を示した概略図である。
【図２】従来の光ピックアップの概略構成を示した図である。
【図３】従来の光ピックアップの他の概略構成を示した図である。
【符号の説明】
【０００８】
１０  リーケージミラー、１１  反射膜、１２  未成膜領域、５１、５２  ＬＤ、５３  光軸合成プリズム、５５  ＬＤモニタ、５６  光ディスク
【図１】
2006338802.tif 000003
【図２】
2006338802.tif 000004
【図３】
2006338802.tif 000005